(57)【要約】【課題】省エネルギー化を促進し、街路灯の管理コストを削減する。【解決手段】長残光性を有する蓄光材１を具備する街路灯１００において、太陽光を透過させて蓄光材１に照射するためのレンズ２と、蓄光材１が発した光を配光制御するためのリフレクタ３とを設け、太陽光の照射時に、レンズ２を透過せしめられて蓄光材１に照射された太陽光が蓄光材１に蓄光され、太陽光の照射後に、蓄光材１が発した光がリフレクタ３によって反射されて路面Ｓに照射される。詳細には、リフレクタ３の中央部３ａに開口３ａ１を形成し、リフレクタ３の開口３ａ１内にレンズ２を配置し、リフレクタ３の周縁部３ｂによって支持された透明部材４上に蓄光材１を配置し、レンズ２を蓄光材１から離間させて蓄光材１よりも上側に配置し、蓄光材１をリフレクタ３の反射面３ｃから離間させて配置した。【選択図】図１
2013026104.tif 000002
【特許請求の範囲】
【請求項１】
長残光性を有する蓄光材（１）を具備する街路灯（１００）において、
太陽光を透過させて蓄光材（１）に照射するためのレンズ（２）と、
蓄光材（１）が発した光を配光制御するためのリフレクタ（３）とを設け、
太陽光の照射時に、レンズ（２）を透過せしめられて蓄光材（１）に照射された太陽光が蓄光材（１）に蓄光され、
太陽光の照射後に、蓄光材（１）が発した光がリフレクタ（３）によって反射されて路面（Ｓ）に照射されることを特徴とする街路灯（１００）。
【請求項２】
リフレクタ（３）の中央部（３ａ）に開口（３ａ１）を形成し、
リフレクタ（３）の開口（３ａ１）内にレンズ（２）を配置し、
リフレクタ（３）の周縁部（３ｂ）によって支持された透明部材（４）上に蓄光材（１）を配置し、
レンズ（２）を蓄光材（１）から離間させて蓄光材（１）よりも上側に配置し、
蓄光材（１）をリフレクタ（３）の反射面（３ｃ）から離間させて配置し、
太陽光の照射時に、太陽光がレンズ（２）によって集光されて蓄光材（１）に照射され、
太陽光の照射後に、蓄光材（１）が発した光が、リフレクタ（３）の反射面（３ｃ）の全体に到達し、リフレクタ（３）の反射面（３ｃ）の全体によって反射されて路面（Ｓ）に照射されることを特徴とする請求項１に記載の街路灯（１００）。
【発明の詳細な説明】
【技術分野】
【０００１】
本発明は、長残光性を有する蓄光材を具備する街路灯に関し、特には、省エネルギー化を促進し、街路灯の管理コストを削減することができる街路灯に関する。
【背景技術】
【０００２】
従来から、長残光性を有する蓄光材、つまり、長時間発光を継続する蓄光材を具備する街路灯が知られている。この種の街路灯の例としては、例えば特許文献１（特開２００２−２９７０７４号公報）に記載されたものがある。特許文献１に記載された街路灯では、例えば電球のような光源からの光によって蓄光された蓄光材の残光により、光源の消灯後に照明効果を継続維持することができる。
【先行技術文献】
【特許文献】
【０００３】
【特許文献１】特開２００２−２９７０７４号公報
【発明の概要】
【発明が解決しようとする課題】
【０００４】
ところで、特許文献１に記載された街路灯では、長残光性を有する蓄光材に対して、例えば電球のような光源からの光が照射されて蓄光される。そのため、特許文献１に記載された街路灯では、省エネルギー化に改善の余地がある。更に、特許文献１に記載された街路灯では、例えば電球のような光源を定期的に交換しなければならないため、街路灯の管理コストが嵩んでしまう。
【０００５】
前記問題点に鑑み、本発明は、省エネルギー化を促進し、街路灯の管理コストを削減することができる街路灯を提供することを目的とする。
【課題を解決するための手段】
【０００６】
請求項１に記載の発明によれば、長残光性を有する蓄光材（１）を具備する街路灯（１００）において、
太陽光を透過させて蓄光材（１）に照射するためのレンズ（２）と、
蓄光材（１）が発した光を配光制御するためのリフレクタ（３）とを設け、
太陽光の照射時に、レンズ（２）を透過せしめられて蓄光材（１）に照射された太陽光が蓄光材（１）に蓄光され、
太陽光の照射後に、蓄光材（１）が発した光がリフレクタ（３）によって反射されて路面（Ｓ）に照射されることを特徴とする街路灯（１００）が提供される。
【０００７】
請求項２に記載の発明によれば、リフレクタ（３）の中央部（３ａ）に開口（３ａ１）を形成し、
リフレクタ（３）の開口（３ａ１）内にレンズ（２）を配置し、
リフレクタ（３）の周縁部（３ｂ）によって支持された透明部材（４）上に蓄光材（１）を配置し、
レンズ（２）を蓄光材（１）から離間させて蓄光材（１）よりも上側に配置し、
蓄光材（１）をリフレクタ（３）の反射面（３ｃ）から離間させて配置し、
太陽光の照射時に、太陽光がレンズ（２）によって集光されて蓄光材（１）に照射され、
太陽光の照射後に、蓄光材（１）が発した光が、リフレクタ（３）の反射面（３ｃ）の全体に到達し、リフレクタ（３）の反射面（３ｃ）の全体によって反射されて路面（Ｓ）に照射されることを特徴とする請求項１に記載の街路灯（１００）が提供される。
【発明の効果】
【０００８】
請求項１に記載の街路灯（１００）では、長残光性を有する蓄光材（１）に対して太陽光を照射するためのレンズ（２）と、蓄光材（１）が発した光を配光制御するためのリフレクタ（３）とが設けられている。詳細には、太陽光の照射時に、レンズ（２）を透過せしめられて蓄光材（１）に照射された太陽光が蓄光材（１）に蓄光される。次いで、太陽光の照射後に、蓄光材（１）が発した光がリフレクタ（３）によって反射されて路面（Ｓ）に照射される。つまり、請求項１に記載の街路灯（１００）では、長残光性を有する蓄光材（１）に対して、例えば電球のような光源が発した光ではなく、太陽光が、照射されて蓄光される。
【０００９】
そのため、請求項１に記載の街路灯（１００）によれば、例えば電球のような光源が発した光が蓄光材に照射されて蓄光される特許文献１に記載された街路灯よりも、省エネルギー化を促進することができる。更に、請求項１に記載の街路灯（１００）によれば、例えば電球のような光源を定期的に交換しなければならない特許文献１に記載された街路灯よりも、街路灯の管理コストを削減することができる。
【００１０】
請求項２に記載の街路灯（１００）では、リフレクタ（３）の中央部（３ａ）に開口（３ａ１）が形成されている。更に、リフレクタ（３）の開口（３ａ１）内にレンズ（２）が配置されている。また、レンズ（２）が蓄光材（１）よりも上側に配置されている。詳細には、太陽光が、リフレクタ（３）の中央部（３ａ）の開口（３ａ１）内に配置されたレンズ（２）であって、蓄光材（１）よりも上側に配置されたレンズ（２）を透過せしめられて蓄光材（１）に照射される。
【００１１】
そのため、請求項２に記載の街路灯（１００）によれば、リフレクタ（３）の中央部（３ａ）に開口（３ａ１）が形成されておらず、リフレクタ（３）の周縁部（３ｂ）の周りに照射された太陽光が反射を介して蓄光材（１）に照射される場合よりも、蓄光材（１）に対して太陽光を照射する構成を小型化することができる。
【００１２】
更に、請求項２に記載の街路灯（１００）では、レンズ（２）が蓄光材（１）から離間せしめられて配置されている。詳細には、太陽光の照射時に、太陽光がレンズ（２）によって集光されて蓄光材（１）に照射される。そのため、請求項２に記載の街路灯（１００）によれば、リフレクタ（３）の中央部（３ａ）の開口（３ａ１）内にレンズ（２）が配置されていない場合よりも、蓄光材（１）に照射される太陽光の光量を増加させることができる。
【００１３】
また、請求項２に記載の街路灯（１００）では、リフレクタ（３）の周縁部（３ｂ）によって支持された透明部材（４）上に蓄光材（１）が配置されている。更に、蓄光材（１）が、リフレクタ（３）の反射面（３ｃ）から離間せしめられて配置されている。詳細には、太陽光の照射後に、蓄光材（１）が発した光が、リフレクタ（３）の反射面（３ｃ）の全体に到達し、リフレクタ（３）の反射面（３ｃ）の全体によって反射されて路面（Ｓ）に照射される。
【００１４】
そのため、請求項２に記載の街路灯（１００）によれば、蓄光材（１）がリフレクタ（３）の反射面（３ｃ）に接触せしめられて配置されている場合よりも、蓄光材（１）が放射状に発する光の利用効率を向上させることができる。
【図面の簡単な説明】
【００１５】
【図１】第１の実施形態の街路灯１００の概略的な構成図である。
【図２】第１の実施形態の街路灯１００の主要部の拡大鉛直断面図である。
【図３】第１の実施形態の街路灯１００の蓄光材１に対して照射される太陽光Ｌ１の光路などを示した図である。
【図４】第１の実施形態の街路灯１００の蓄光材１が発した光Ｌ４，Ｌ５の光路を示した図である。
【図５】レンズ２としてフレネルレンズを用いた第２の実施形態の街路灯１００の主要部の拡大鉛直断面図である。
【発明を実施するための形態】
【００１６】
以下、本発明の街路灯の第１の実施形態について説明する。図１は第１の実施形態の街路灯１００の概略的な構成図である。図２は第１の実施形態の街路灯１００の主要部の拡大鉛直断面図である。図３は第１の実施形態の街路灯１００の蓄光材１に対して照射される太陽光Ｌ１の光路などを示した図である。詳細には、図３（Ａ）は第１の実施形態の街路灯１００の蓄光材１に対して照射される太陽光Ｌ１の光路を示した図、図３（Ｂ）は第１の比較例の街路灯１００ｒｅｆ１の蓄光材１に対して照射される太陽光Ｌ２の光路を示した図、図３（Ｃ）は第２の比較例の街路灯１００ｒｅｆ２の蓄光材１に対して照射される太陽光Ｌ３の光路を示した図である。図４は第１の実施形態の街路灯１００の蓄光材１が発した光Ｌ４，Ｌ５の光路を示した図である。
【００１７】
第１の実施形態の街路灯１００では、図１および図２に示すように、長残光性を有する蓄光材１（図２参照）を具備するランプモジュール１００ｄが、例えば接続部材１００ｂ，１００ｃを介して、例えば送電線の支柱などのような支柱１００ａに対して接続されている。詳細には、図２に示すように、蓄光材１に対して太陽光Ｌ１（図３（Ａ）参照）を照射するためのレンズ２と、蓄光材１が発した光Ｌ５（図４（Ｂ）参照）を配光制御するためのリフレクタ３と、リフレクタ３の周縁部３ｂによって支持された例えば耐熱ガラスなどのような透明部材４と、蓄光材１と透明部材４との間に配置された断熱機能を有する例えば透光性の耐熱材５とが、ランプモジュール１００ｄに設けられている。
【００１８】
具体的には、第１の実施形態の街路灯１００では、例えば昼間のような太陽光の照射時に、図３（Ａ）に示すように、レンズ２を透過せしめられて蓄光材１に照射された太陽光Ｌ１が蓄光材１に蓄光される。次いで、例えば夜間のような太陽光の照射後に、図４（Ａ）に示すように、蓄光材１が発した光Ｌ４がリフレクタ３によって反射されて路面Ｓ（図１参照）に照射されると共に、図４（Ｂ）に示すように、蓄光材１が発した直射光Ｌ５が路面Ｓ（図１参照）に照射される。つまり、第１の実施形態の街路灯１００（図３（Ａ）参照）では、長残光性を有する蓄光材１（図３（Ａ）参照）に対して、例えば電球のような光源（図示せず）が発した光ではなく、太陽光Ｌ１（図３（Ａ）参照）が、照射されて蓄光される。
【００１９】
そのため、第１の実施形態の街路灯１００によれば、例えば電球のような光源が発した光が蓄光材に照射されて蓄光される特許文献１に記載された街路灯よりも、省エネルギー化を促進することができる。更に、第１の実施形態の街路灯１００によれば、例えば電球のような光源を定期的に交換しなければならない特許文献１に記載された街路灯よりも、街路灯１００の管理コストを削減することができる。
【００２０】
詳細には、第１の実施形態の街路灯１００では、図２に示すように、リフレクタ３の中央部３ａに開口３ａ１が形成されている。更に、リフレクタ３の開口３ａ１内にレンズ２が配置されている。また、レンズ２が蓄光材１よりも上側（図２の上側）に配置されている。そのため、第１の実施形態の街路灯１００では、図３（Ａ）に示すように、所定の位置に位置する太陽からの太陽光Ｌ１が、レンズ２を透過せしめられて蓄光材１に照射される。
【００２１】
一方、リフレクタ３（図３（Ｂ）参照）の中央部３ａ（図２参照）に開口３ａ１（図２参照）が形成されていない第１の比較例の街路灯１００ｒｅｆ１（図３（Ｂ）参照）では、リフレクタ３（図３（Ｂ）参照）の周縁部３ｂ（図３（Ｂ）参照）の周りに照射された太陽光Ｌ２（図３（Ｂ）参照）を蓄光材１（図３（Ｂ）参照）に照射するために、リフレクタ３（図３（Ｂ）参照）の周縁部３ｂ（図３（Ｂ）参照）の径方向（図３（Ｂ）の左右方向）の外側（図３（Ｂ）の右側）にリフレクタ６（図３（Ｂ）参照）を設けなければならない。その結果、第１の比較例の街路灯１００ｒｅｆ１（図３（Ｂ）参照）では、ランプモジュール１００ｄ（図３（Ｂ）参照）の直径が第１の実施形態の街路灯１００（図３（Ａ）参照）よりも大型化してしまう。
【００２２】
換言すれば、第１の実施形態の街路灯１００（図３（Ａ）参照）によれば、リフレクタ３（図３（Ｂ）参照）の中央部３ａ（図２参照）に開口３ａ１（図２参照）が形成されていない第１の比較例の街路灯１００ｒｅｆ１（図３（Ｂ）参照）よりも、ランプモジュール１００ｄ（図３（Ａ）および図３（Ｂ）参照）の直径を小型化することができる。
【００２３】
更に、第１の実施形態の街路灯１００では、図３（Ａ）に示すように、レンズ２が蓄光材１から離間せしめられて配置されている。また、太陽光Ｌ１の照射時に、太陽光Ｌ１がレンズ２によって集光されて蓄光材１に照射される。
【００２４】
一方、リフレクタ３（図３（Ｃ）参照）の中央部３ａ（図３（Ｃ）参照）の開口３ａ１（図３（Ｃ）参照）内にレンズ２（図３（Ｃ）参照）が配置されていない第２の比較例の街路灯１００ｒｅｆ２（図３（Ｃ）参照）では、太陽光Ｌ３（図３（Ｃ）参照）が集光されることなく蓄光材１（図３（Ｃ）参照）に照射されるため、太陽光Ｌ１（図３（Ａ）参照）がレンズ２（図３（Ａ）参照）によって集光されて蓄光材１（図３（Ａ）参照）に照射される第１の実施形態の街路灯１００（図３（Ａ）参照）よりも、蓄光材１（図３（Ｃ）参照）に照射される太陽光Ｌ３（図３（Ｃ）参照）の光量が減少してしまう。
【００２５】
換言すれば、第１の実施形態の街路灯１００（図３（Ａ）参照）によれば、太陽光Ｌ３（図３（Ｃ）参照）が集光されることなく蓄光材１（図３（Ｃ）参照）に照射される第２の比較例の街路灯１００ｒｅｆ２（図３（Ｃ）参照）よりも、蓄光材１（図３（Ａ）参照）に照射される太陽光Ｌ１（図３（Ａ）参照）の光量を増加させることができる。
【００２６】
また、第１の実施形態の街路灯１００では、図４（Ａ）に示すように、リフレクタ３の周縁部３ｂによって支持された透明部材４上に蓄光材１が配置されている。更に、蓄光材１が、リフレクタ３の反射面３ｃから離間せしめられて配置されている。詳細には、太陽光の照射後に、蓄光材１が発した光Ｌ４が、リフレクタ３の反射面３ｃの全体に到達し、リフレクタ３の反射面３ｃの全体によって反射されて路面Ｓ（図１参照）に照射される。
【００２７】
そのため、第１の実施形態の街路灯１００によれば、蓄光材１（図３（Ｂ）参照）がリフレクタ３（図３（Ｂ）参照）の反射面３ｃ（図３（Ｂ）参照）に接触せしめられて配置されている第１の比較例の街路灯１００ｒｅｆ１（図３（Ｂ）参照）よりも、蓄光材１（図４（Ａ）参照）が放射状に発する光Ｌ４（図４（Ａ）参照）の利用効率を向上させることができる。
【００２８】
第１の実施形態の街路灯１００では、レンズ２（図２参照）として平凸レンズが用いられているが、第２の実施形態の街路灯１００では、代わりに、レンズ２（図２参照）として、例えば平凹レンズ、フレネルレンズなどのような平凸レンズ以外のレンズを用いることも可能である。図５はレンズ２としてフレネルレンズを用いた第２の実施形態の街路灯１００の主要部の拡大鉛直断面図である。
【００２９】
第１の実施形態の街路灯１００では、図３（Ａ）に示すように、レンズ２の焦点上あるいはその近傍に蓄光材１が配置されているが、第３の実施形態の街路灯１００では、代わりに、第２の比較例の街路灯１００ｒｅｆ２（図３（Ｃ）参照）よりも蓄光材１に照射される太陽光の光量を増加させることができる任意の位置に蓄光材１を配置することも可能である。
【００３０】
第１の実施形態の街路灯１００では、図４（Ａ）に示すように、リフレクタ３の反射面３ｃが放物系反射面によって構成され、リフレクタ３の反射面３ｃの焦点上あるいはその近傍に蓄光材１が配置され、リフレクタ３の反射面３ｃから平行光Ｌ４が照射されているが、第４の実施形態の街路灯１００では、代わりに、リフレクタ３の反射面３ｃの焦点とは異なる位置に蓄光材１を配置し、リフレクタ３の反射面３ｃから拡散光を照射することも可能である。
【００３１】
第１の実施形態の街路灯１００では、図４（Ａ）に示すように、リフレクタ３の反射面３ｃが例えば回転放物面、放物柱面などによって構成されているが、第５の実施形態の街路灯１００では、代わりに、複数の小反射領域に区画された所謂マルチリフレクタによってリフレクタ３の反射面３ｃを構成することも可能である。
【００３２】
第１の実施形態の街路灯１００では、リフレクタ３の反射面３ｃがステンレスの研磨面あるいはクロムメッキ相当の鏡面処理が施された面によって構成されているが、第６の実施形態の街路灯１００では、代わりに、街路灯としての光量を達成可能な任意の面によってリフレクタ３の反射面３ｃを構成することも可能である。
【００３３】
第７の実施形態では、上述した第１から第６の実施形態を適宜組み合わせることも可能である。
【符号の説明】
【００３４】
１                      蓄光材
２                      レンズ
３                      リフレクタ
３ａ                    中央部
３ａ１                  開口
３ｂ                    周縁部
３ｃ                    反射面
４                      透明部材
１００                  街路灯
Ｓ                      路面
【図１】
2013026104.tif 000003
【図２】
2013026104.tif 000004
【図３】
2013026104.tif 000005
【図４】
2013026104.tif 000006
【図５】
2013026104.tif 000007